【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
コンテンツを記憶するサーバ装置と、該サーバ装置に記憶されたコンテンツを再生するための複数の再生装置とがネットワークを介して接続されたシステムの制御方法であって、
再生装置が、サーバ装置に対して再生の中断を指示したコンテンツに関する情報を記憶する記憶工程と、
前記再生装置が、前記中断したコンテンツの再生を他の再生装置が再開できるように、前記他の再生装置からの要求に応じて、前記再生を中断したコンテンツを選択して再生再開するための、前記再生を中断したコンテンツに関する情報を前記他の再生装置に対して提示する提示工程と、
を実行することを特徴とする制御方法。
【請求項２】
前記再生装置は、前記他の再生装置が選択したコンテンツの再生再開が指示されると、該指示されたコンテンツの再生再開を前記サーバ装置に指示する指示工程を実行することを特徴とする請求項１記載の制御方法。
【請求項３】
前記再生装置は、前記指示工程において再生再開を指示したコンテンツに関する情報を消去する消去工程を実行することを特徴とする請求項２に記載の制御方法。
【請求項４】
前記他の再生装置は、選択したコンテンツの再生を前記サーバ装置に指示する指示工程と、
前記指示工程で再生を指示したコンテンツに関する情報を前記再生装置に通知する通知工程と、
を実行することを特徴とする請求項１に記載の制御方法。
【請求項５】
前記再生装置は、前記他の再生装置から通知されたコンテンツに関する情報に基づいて、前記再生を中断したコンテンツに関する情報を消去する消去工程を実行することを特徴とする請求項４に記載の制御方法。
【請求項６】
前記再生の中断を指示したコンテンツに関する情報は、中断したコンテンツを識別するための情報及び再生の中断位置に関する情報を含むことを特徴とする請求項１に記載の制御方法。
【請求項７】
コンテンツを記憶するサーバ装置と、該サーバ装置に記憶されたコンテンツを再生する複数の再生装置とがネットワークを介して接続されたシステムの再生装置であって、
サーバ装置に対して再生の中断を指示したコンテンツに関する情報を記憶する記憶手段と、
前記中断したコンテンツの再生を他の再生装置が再開できるように、前記他の再生装置からの要求に応じて、前記再生を中断したコンテンツを選択して再生再開するための、前記再生を中断したコンテンツに関する情報を前記他の再生装置に対して提示する提示手段と、
を備えることを特徴とする再生装置。
【請求項８】
前記他の再生装置が選択したコンテンツの再生再開が指示されると、該指示されたコンテンツの再生再開を前記サーバ装置に指示する指示手段を更に備えることを特徴とする請求項７に記載の再生装置。
【請求項９】
前記指示手段により再生再開を指示したコンテンツに関する情報を消去する消去手段を更に備えることを特徴とする請求項８に記載の再生装置。
【請求項１０】
前記他の再生装置からサーバ装置に再生再開が指示されたコンテンツに対応する情報を消去する消去手段を更に備えることを特徴とする請求項７に記載の再生装置。
【請求項１１】
前記再生の中断を指示したコンテンツに関する情報は、中断したコンテンツを識別するための情報及び再生の中断位置に関する情報を含むことを特徴とする請求項７に記載の再生装置。
【請求項１２】
コンテンツを記憶するサーバ装置と、該サーバ装置に記憶されたコンテンツを再生する複数の再生装置とがネットワークを介して接続されたシステムの再生装置であって、
他の再生装置がコンテンツの再生を中断したコンテンツに関する情報を、前記他の再生装置から受信する受信手段と、
前記他の再生装置が中断したコンテンツの再生を再開するために、前記受信した情報から、再生を再開するコンテンツを選択する選択手段と、
を備えることを特徴とする再生装置。
【請求項１３】
前記選択手段で選択したコンテンツの再生を前記他の再生装置に指示する指示手段を更に備えることを特徴とする請求項１２記載の再生装置。
【請求項１４】
前記選択手段で選択したコンテンツの再生を前記サーバ装置に指示する指示手段と、
前記指示手段で再生を指示したコンテンツに関する情報を前記他の再生装置に通知する通知手段とを更に備えることを特徴とする請求項１２記載の再生装置。
【請求項１５】
コンテンツを記憶するサーバ装置と、該サーバ装置に記憶されたコンテンツを再生する複数の再生装置とがネットワークを介して接続されたシステムの再生装置の制御方法であって、
サーバ装置に対して再生の中断を指示したコンテンツに関する情報を記憶する記憶工程と、
前記中断したコンテンツの再生を他の再生装置が再開できるように、前記他の再生装置からの要求に応じて、前記再生を中断したコンテンツを選択して再生再開するための、前記再生を中断したコンテンツに関する情報を前記他の再生装置に対して提示する提示工程と、
を有することを特徴とする制御方法。
【請求項１６】
コンテンツを記憶するサーバ装置と、該サーバ装置に記憶されたコンテンツを再生する複数の再生装置とがネットワークを介して接続されたシステムの再生装置の制御方法であって、
他の再生装置がコンテンツの再生を中断したコンテンツに関する情報を、前記他の再生装置から受信する受信工程と、
前記他の再生装置が中断したコンテンツの再生を再開するために、前記受信した情報から、再生を再開するコンテンツを選択する選択工程と、
を有することを特徴とする制御方法。
【請求項１７】
請求項１５又は１６に記載の制御方法をコンピュータに実行させるためのプログラム。
【請求項１８】
請求項１７記載のプログラムを記録したコンピュータが読み取り可能な記録媒体。
【手続補正２】
【補正対象書類名】明細書
【補正対象項目名】発明の名称
【補正方法】変更
【補正の内容】
【発明の名称】制御方法及び再生装置
【手続補正３】
【補正対象書類名】明細書
【補正対象項目名】０００１
【補正方法】変更
【補正の内容】
【０００１】
本発明は、コンテンツを記憶するサーバ装置と、該サーバ装置に記憶されたコンテンツを再生するための複数の再生装置とがネットワークを介して接続されたシステムの制御方法及び再生装置に関する。
【手続補正４】
【補正対象書類名】明細書
【補正対象項目名】０００８
【補正方法】変更
【補正の内容】
【０００８】
本発明は、コンテンツを記憶するサーバ装置と、該サーバ装置に記憶されたコンテンツを再生するための複数の再生装置とがネットワークを介して接続されたシステムの制御方法であって、再生装置が、サーバ装置に対して再生の中断を指示したコンテンツに関する情報を記憶する記憶工程と、前記再生装置が、前記中断したコンテンツの再生を他の再生装置が再開できるように、前記他の再生装置からの要求に応じて、前記再生を中断したコンテンツを選択して再生再開するための、前記再生を中断したコンテンツに関する情報を前記他の再生装置に対して提示する提示工程と、を実行することを特徴とする。
【手続補正５】
【補正対象書類名】明細書
【補正対象項目名】０００９
【補正方法】変更
【補正の内容】
【０００９】
また、本発明は、コンテンツを記憶するサーバ装置と、該サーバ装置に記憶されたコンテンツを再生する複数の再生装置とがネットワークを介して接続されたシステムの再生装置であって、サーバ装置に対して再生の中断を指示したコンテンツに関する情報を記憶する記憶手段と、前記中断したコンテンツの再生を他の再生装置が再開できるように、前記他の再生装置からの要求に応じて、前記再生を中断したコンテンツを選択して再生再開するための、前記再生を中断したコンテンツに関する情報を前記他の再生装置に対して提示する提示手段とを備えることを特徴とする。
【手続補正６】
【補正対象書類名】明細書
【補正対象項目名】００１０
【補正方法】変更
【補正の内容】
【００１０】
更に、本発明は、コンテンツを記憶するサーバ装置と、該サーバ装置に記憶されたコンテンツを再生する複数の再生装置とがネットワークを介して接続されたシステムの再生装置であって、他の再生装置がコンテンツの再生を中断したコンテンツに関する情報を、前記他の再生装置から受信する受信手段と、前記他の再生装置が中断したコンテンツの再生を再開するために、前記受信した情報から、再生を再開するコンテンツを選択する選択手段とを備えることを特徴とする。